(57)【特許請求の範囲】
【請求項１】
先端部分にノズルを備えるボディと、このボディに組み合わさりその内部に液体の逆流防止用の逆止弁を備えるインティクと、このインティクをボディとともに容器本体の口部に固定保持するねじ止めキャップからなり、
トリガの牽曳とその解除にてピストンを往復動させ、容器本体内の液体をピストンシリンダ内に吸引するとともに加圧してインティク及びボディを通してノズルの先端から液体を連続的に噴出させるトリガ式の液体噴出器であって、
前記インティクに、ボディの環状空間に対してより深く差し込まれ、該ボディとの強固な連結を導く長尺環状壁を一体的に設け、
前記ねじ止めキャップは、ボディとインティクの連結領域を広範囲にわたって取り囲みボディそのもののぶれや傾きを防止する表面積の大きなガイド壁を有する、ことを特徴とするトリガ式液体噴出器。
【請求項２】
長尺環状壁は、その外面及び内面の少なくとも一方でボディの環状空間を形成する壁面との間でアンダーカットによって係合するものである、請求項１記載のトリガ式液体噴出器。
【発明の詳細な説明】
【０００１】
【発明の属する技術分野】
本発明は、トリガ式の液体噴出器に関し、その噴出器を構成するボディとインティクとの連結をより一層強固にしようとするものである。
【０００２】
【従来の技術】
トリガ式の液体噴出器は、黴びとり剤や洗剤等を充てんする容器に多用されており、その構成は、一般に、先端部分にノズルを取り付けたボディ部分と、このボディ部分に組み合わさり液体の逆流防止用の逆止弁及び大気流入用開孔を備えたインティクと、このインティクをボディ部分とともに容器の口部に固定保持するねじ止め式のキャップからなっている。
【０００３】
かかる噴出器においては、そのボディ部分に取り付けられたトリガの牽曳を繰り返すことにより、これにつながるピストンが作動し、ピストンシリンダ内で液体の吸引と加圧が交互に行われるため、容器本体内の液体がインティク及びボディ部分内の通路を通してノズルから連続的に噴射させることができる。
【０００４】
ところで、従来のトリガ式噴出器は、インティクについては容器本体の口部とこの口部にねじ止めされるキャップにてシール部材を介して挟持されるため確実な固定がなされるものの、ボディ部分とインティクとの連結はインティクの先端部分をボディに設けられた比較的浅い凹部に適合させ、その両者をアンダーカットによって抜け止め保持しているため、とくにかかる連結部位に過大な力が作用した場合に、ボディ部分がインティクから抜け落ちることも懸念され、より一層の安全を期するべく両部材のより強固な連結が望まれている。
【０００５】
【発明が解決しようとする課題】
本発明の課題は、構造の複雑化を招いたり構成部材の部品点数を増加させることなしにインティクとボディとをより一層強固に連結することができる新規なトリガ式液体噴出器を提案するところにある。
【０００６】
【課題を解決するための手段】
本発明は、先端部分にノズルを装着するボディと、このボディに組み合わさりその内部に液体の逆流防止用の逆止弁を備えるインティクと、このインティクをボディとともに容器本体の口部に固定保持するねじ止めキャップからなり、
トリガの牽曳とその解除にてピストンを往復動させて、容器本体内の液体をピストンシリンダ内に吸引するとともに加圧してインティク及びボディを通してノズルの先端から液体を連続的に噴出させるトリガ式の液体噴出器であって、
前記インティクに、ボティの環状空間に対してより深く差し込まれ、該ボディとの強固な連結を導く長尺環状壁を一体的に設け、
前記ねじ止めキャップは、ボディとインティクの連結領域を広範囲にわたって取り囲みボディそのもののぶれや傾きを防止する表面積の大きなガイド壁を有する、ことを特徴とするトリガ式液体噴出器である。
【０００７】
長尺環状壁は、その外面及び内面の少なくとも一方でボディの環状空間を形成する壁面との間でアンダーカットによって係合するのが好ましい。
【０００８】
【発明の実施の形態】
インティクに長尺の環状壁を一体的に成形して、この環状壁をボディの環状空間に深く差し込み、インティクとボディとの接触面積を拡大して両者間の摩擦抵抗を高める。
【０００９】
ねじ止めキャップに、表面積の大きなガイド壁を設けてこのガイド壁にて、ボディとインティクの連結領域を取り囲んでボディそのもののぶれや傾きを抑える。
【００１０】
【実施例】
以下、図面を用いて本発明をより具体的に説明する。
図１は本発明に従うトリガ式液体噴出器の構成をその断面で示したものである。
図において番号１はボディである。２はボディ１の先端部分に装着されたノズル、３は容器本体内に大気を流入させる開孔ｙと液体の逆流防止用の逆止弁ｖを有するインティクであり、このインティク３はベース部分３ａとこのベース部分３ａに一体になり液体の流通路を形成するチューブ３ｂからなる。
【００１１】
また、４は容器本体の口部５に固定保持されるねじ止めキャップ、６はインティク３と口部５の相互間に配置されるシール部材、そして８はインティク３につながり容器本体内の液体を吸引するための吸引パイプである。
【００１２】
ボディ１はその内部に容器本体内の液体をノズル２に送給するための通路１ａを有しており、ここには、さらに、液体の吸引と加圧を交互に行うためのピストン１ｂと、このピストン１ｂを摺動可能に内装してその相互間で空間ｒを形成するピストンシリンダ１ｃと、該ピストン１ｂの押圧を司るトリガ１ｄがそれぞれ設けられている。
【００１３】
一方、インティク３は、ベース部分３ａと一体的に成形された長尺環状壁３ｃを有しており、この長尺環状壁３ｃは図２に示すようなボディ１の環状空間１ｅに深く差し込まれる。そしてその要部を図３に示すように、該長尺環状壁３ｃの内外面に設けられた凸部３ｄ、３ｅが、ボディ１の環状空間１ｅを形成する壁面の凹部１ｆ、１ｇに適合する、いわゆるアンダーカットによって係合しインティク３とボディ１とがより一層強固に連結され、その部位に過大な力が作用したとしてもボディ１がインティク３から簡単に抜けるようなことはない。
【００１４】
インティク３はボティ１との強固な連結状態を維持したままで、キャップ４にて容器本体の口部５に固定保持されるが、該キャップ４にはボディ１とインティク３の連結領域を広範囲にわたって取り囲む大きな面積を有するガイド壁４ａが設けられていて、ボディ１そのもののぶれや傾きは確実に防止される。
【００１５】
図１に示した例では、インティク３の長尺環状壁３ｃについては、開孔ｙを設けた部位を溝型断面として示したが、かかる部材の断面形状は適宜に変更することができるものであり、図示したもののみに限定されるものではない。
【００１６】
図４に、インティク３の外観を斜視図で示す。
【００１７】
上掲図１に示した構成になるトリガ式液体噴出器において、トリガ１ｄを矢印に従い牽曳すると、ピストン１ｂは押圧されピストンシリンダ１ｃの末端に当接する。
【００１８】
この状態でトリガ１ｄの牽曳を解除すると、ピストン１ｂはそれに内装するスプリングｓの弾性力にて初期位置に復帰することとなり、その際、空間ｒは負圧になることから、容器本体内の液体は吸引パイプ８、ポートＰを経て空間ｒに流入する。
【００１９】
この状態に引き続きさらにトリガ１ｄを牽曳してピストン１ｂを押圧すると、空間ｒに流入した液体は加圧されてポートＰから排出される。この時、インティク３の通路は逆止弁ｖによって閉塞状態に保持され、加圧された液体は第２ポートＰ１及びボディ１の通路１ａを通り、ノズル２の先端から外界へ向けて噴射されることとなり、この一連の動作を複数回繰り返すことによって連続的な噴射が可能となる。
【００２０】
図５は従来形式になるトリガ式液体噴出器のボディとインティクの連結部分の構造をその要部について示したものであり、図中、９はボディ、１０はインティク、１１はねじ止めキャップである。
【００２１】
上掲図５に示したところにおいて、インティク１０の先端がボディ９の溝に入り込む寸法をＬとし、キャップ１１のガイド面の寸法をＬ１とした場合に、本発明においては長尺環状壁３ｃの寸法ｋ（図３参照）を、寸法Ｌの少なくとも１．５倍以上とすることが、また、キャップ４のガイド面の寸法ｋ１（図３参照）については寸法Ｌ１の２．０倍以上とすることが望ましい。
【００２２】
本発明に従うトリガ式液体噴出器は合成樹脂にて構成することができるものであり、各構成部材の製造にはインジェクション成形法が適用される。
【００２３】
上掲図１に示した本発明に従う噴出器と上掲図５に示した従来形式の噴出器に関し、ボディのインティクが連結される部分にシリコンを塗布するとともに、引き抜き速度を５．５mm／ｓとする条件のもとでインティクに対するボディの抜け強度（Ｎ）を、組み立て直後及び市販の黴び取り剤に浸漬した状態で室温４０℃に保持し１週間保存した後のそれぞれについて調査した。その結果を表１に示す。
【００２４】
【表１】
0003929240.tif 000002
【００２５】
表１より明らかなように、本発明に従う噴出器では従来の噴出器に比較して極めて高い抜け強度を有することが確認できる。
【００２６】
【発明の効果】
本発明によれば、構造の複雑化を招いたり部品点数の増加を招くことなしにインティクとボディとを強固に連結することができる。
【図面の簡単な説明】
【図１】  本発明に従うトリガ式液体噴出器の構成説明図である。
【図２】  ボディの環状空間を示した図である。
【図３】  ボディとインティクの連結部分を拡大して示した図である。
【図４】  インティクの外観斜視図である。
【図５】  従来の噴出器の要部断面図である。
【符号の説明】
１  ボディ
１ａ  通路
１ｂ  ピストン
１ｃ  ピストンシリンダ
１ｄ  トリガ
１ｅ  環状空間
２  ノズル
３  インティク
３ａ  ベース部分
３ｂ  チューブ
３ｃ  長尺環状壁
３ｄ  凸部
３ｅ  凸部
３ｆ  凹部
３ｇ  凹部
４  ねじ止めキャップ
４ａ  ガイド壁
５  口部
６  シール部材
８  吸引パイプ
９  ボディ
10  インティク
11  ねじ止めキャップ
ｒ  空間
ｖ  逆止弁
Ｐ  ポート
Ｐ１  第２ポート
【図１】
0003929240.tif 000003
【図２】
0003929240.tif 000004
【図３】
0003929240.tif 000005
【図４】
0003929240.tif 000006
【図５】
0003929240.tif 000007